(57)【特許請求の範囲】
【請求項１】
魚釣りに用いる釣竿であって、
竿体と、
前記竿体の周面に軸方向に間隔を隔てて配置される複数の第１釣糸ガイドと、前記竿体の周面に於いて前記１つの第１釣糸ガイドとこれに隣接する他の第１釣糸ガイドとの間に配置される第２釣糸ガイドとを備え、
前記第１釣糸ガイド及び前記第２釣糸ガイドはそれぞれ、前記竿体の周面に固定される固定部と、前記固定部より前記竿体の径外方向（高さ方向）に起立するフレーム部と、前記フレーム部に前記竿体の軸方向に開口した状態で装着されるガイドリングとを有しており、
前記第１釣糸ガイドのガイドリングの開口の前記竿体周面からの最大高さと、前記第２釣糸ガイドのガイドリングの開口の前記竿体周面からの最大高さとは同一であり、
前記第１釣糸ガイドのガイドリングの開口の前記竿体周面からの最小高さに比べて、前記第２釣糸ガイドのガイドリングの開口の前記竿体周面からの最小高さが小さい、釣竿。
【発明の詳細な説明】
【０００１】
【発明の属する技術分野】
本発明は、魚釣りに用いる釣竿、特に、リールからの釣糸を案内する釣糸ガイドを竿体の外周面に有する外通し竿に関する。更に詳しくは、スピニングリールを装着して用いるための釣竿に関するものである。
【０００２】
【従来の技術】
従来の外通し竿と呼ばれるタイプの釣竿は、一般には、複数の筒状の竿体を連結して構成されている。例えば、穂先側の竿体から順次竿元側の竿体内に挿入可能になっている振出形式や、個々の竿体を順次連結する並継形式などで、各竿体が連結されている。また、このような竿体の周面には複数の釣糸ガイドが装着され、リールからの釣糸が順次この釣糸ガイドを挿通して穂先側に案内されている。
【０００３】
この釣糸ガイドは、各釣り操作時において以下のように働いている。まず、釣糸の先端に連結した仕掛けに魚がかかって釣糸に大きな力が加わった場合には、釣糸ガイドがこの釣糸からの力を竿体に伝達する。また、キャスティング時に釣糸をリールから放出する場合には、釣糸ガイドがリールから螺旋状に放出される釣糸のスパイラルを円滑に収束させて釣糸の放出を円滑且つ安定化させる。
【０００４】
【発明が解決しようとする課題】
このように、外通し竿の釣糸ガイドには、大きく言えば２つの作業が求められているが、この２つの作業のために釣糸ガイドに要求される特性は相反するものである。
即ち、釣糸からの力を竿体に円滑に且つ十分に伝達するためには、釣糸ガイドの数を増やして（竿体の軸方向に密に多くの釣糸ガイドを配置して）、多数の釣糸ガイドで釣糸を支持したい。しかし、釣糸ガイドの個数の増加は釣糸と釣糸ガイドとの接触機会を増加させることになり、釣糸の円滑な導出を阻害する要因となる。一方、釣糸ガイドの放出を安定化させるに必要な最低限度の釣糸ガイドを竿体の周面に配置するのみでは、釣糸ガイドの数が足りず、釣糸からの力を円滑に竿体に伝達し難い。
【０００５】
従来の釣竿では、このような両者の要求のバランスを図りつつ妥当な程度に釣糸ガイドを配置している。このため、釣竿に要求される特性を完全に得られているものではない。
本発明の課題は、釣糸の円滑な導出を可能とすると共に、釣糸からの力を良好に竿体に伝達可能な釣竿を提供することにある。
【０００６】
【課題を解決するための手段】
発明１にかかる釣竿は、魚釣りに用いる釣竿であって、竿体と、竿体の周面に軸方向に間隔を隔てて配置される複数の第１釣糸ガイドと、竿体の周面に於いて１つの第１釣糸ガイドとこれに隣接する他の第１釣糸ガイドとの間に配置される第２釣糸ガイドとを備えている。この第１釣糸ガイド及び第２釣糸ガイドはそれぞれ、竿体の周面に固定される固定部と、固定部より竿体の径外方向（高さ方向）に起立するフレーム部と、フレーム部に竿体の軸方向に開口した状態で装着されるガイドリングとを有している。ここで、第１釣糸ガイドのガイドリングの開口の竿体周面からの最大高さと、第２釣糸ガイドのガイドリングの開口の前記竿体周面からの最大高さとは同一である。一方、第１釣糸ガイドのガイドリングの開口の竿体周面からの最小高さに比べて、第２釣糸ガイドのガイドリングの開口の前記竿体周面からの最小高さが小さく設定されている。
【０００７】
この釣竿は、特に、スピニングリールを装着して用いるためのものであり、リールを装着するリールシート及び各釣糸ガイドを地面方向に向かって位置させた状態で用いられることになる。そして、リールからの釣糸が順次第１・第２釣糸ガイドのガイドリングを挿通して穂先側へと導かれる。
釣糸の先端に連結した仕掛けに魚がかかった場合、釣糸は穂先側乃至地面側方向から大きな力を受けることになり、釣糸は釣糸ガイドのガイドリングで最も地面側方向（竿体からその径外方向に最も離れる方向）に位置することになる。ここで、第１釣糸ガイドのガイドリングと第２釣糸ガイドのガイドリングとは共にその開口の最大高さが同一に設定されており、第１釣糸ガイドと第２釣糸ガイドが共に釣糸を支えることになる。そして、釣糸からの力が各ガイドに分散されて竿体全体に分散して伝達される。また、釣糸の竿体周面へのべたつきも防止される。
【０００８】
一方、キャスティング時に釣糸をリールから放出する場合には、釣糸ガイドがリールから螺旋状に放出される釣糸のスパイラルを円滑に収束させて釣糸の放出を円滑且つ安定化させる。ここでは、第２釣糸ガイドのガイドリングはその開口の最小高さが第１釣糸ガイドのガイドリングに比べて小さく、開口の面積が大きい。このため、釣糸の導出時には第２釣糸ガイドが釣糸の導出を阻害せず、釣糸の導出がスムーズである。
【０００９】
【発明の実施の形態】
以下、本発明の一実施形態について図面を参照しつつ説明する。
本発明の一実施形態を採用した釣竿は、図１に示すように、元竿１と、元竿１の穂先側に順次振出形式で連結される、元上竿２，中竿３及び穂先竿４とを有している。これら元竿１〜穂先竿４は炭素繊維またはガラス繊維等に合成樹脂を含浸させたプリプレグから形成される先細り筒状部材であって、元上竿２〜穂先竿４は穂先側から順次竿元側の竿体の内部に挿入され出し入れ自在である。なお、竿体の数は任意であり、必要に応じてその本数を設定可能である。
【００１０】
元竿１は、外周面に形成されリール（図示せず）を脱着自在に装着可能なリールシート５を有し、竿元側端部には尻栓６が脱着自在に装着されている。このリールシート５は別途合成樹脂等で形成されたパイプ状の部材を所定の位置に配置して固定して形成されている。また、元竿１の穂先側端部には固定ガイド６が固定されており、元竿１の竿元側端部内周面には雌ねじ部材が配置され、ここに尻栓７が脱着自在に螺合している。
【００１１】
元上竿２及び中竿３は順次元竿１の穂先側に連結される竿体である。これらの竿体の周面には大きく２種類の釣糸ガイドが配置されており、具体的には、これらの釣糸ガイドは第１釣糸ガイド１０と第２釣糸ガイド２０とである。これらの数は任意に設定可能であるが、第１釣糸ガイド１０と第１釣糸ガイド１０との間に複数の第２釣糸ガイド２０を配置する。例えば、第１釣糸ガイド１０を配置した後に２〜３個程度の第２釣糸ガイド２０を配置し、再度第１釣糸ガイド１０を配置する。そして、このパターンを繰り返す。
【００１２】
なお、これら第１釣糸ガイド１０と第２釣糸ガイド２０とが周面に配置される元上竿２及び中竿３にあっては、最も穂先側の周面に第１釣糸ガイド１０が配置され、その後上記パターンが繰り返される。ここで、最も穂先側の周面に固定される第１釣糸ガイド１０は竿体の周面に固定される固定ガイドであり、その他の釣糸ガイドは竿体の周面の任意の箇所で固定可能なスライドガイドである。このスライドガイドは各竿体周面を軸方向に滑動自在に配置され、所定の軸方向位置において竿体の外径と合致して固定可能となっている。
【００１３】
図２において、中竿３を例にして第１釣糸ガイド１０と第２釣糸ガイド２０とを説明する。
第１釣糸ガイド１０は、中竿３の周面に中竿３が貫通した状態で固定されているパイプ状の固定部１１と、固定部１１から径外方向に起立しているフレーム部１２と、フレーム部１２の先端にはめ込まれたガイドリング１３とを有する（図３参照）。この固定部１１及びフレーム部１２は金属または硬質の合成樹脂からなる部材である。フレーム部１２は起立した先端側において円形に広がっており、この中央付近を竿体の軸方向に貫通する貫通孔が形成されている。そしてこの貫通孔にセラミックスなどの硬質部材からなるガイドリング１３がはめ込まれている。このガイドリング１３の開口を釣糸Ｌが挿通する。
【００１４】
第２釣糸ガイド２０も、第１釣糸ガイド１０と同様に、中竿３の周面に中竿３が貫通した状態で固定されているパイプ状の固定部２１と、固定部２１から径外方向に起立しているフレーム部２２と、フレーム部２２にはめ込まれたガイドリング２３とを有する（図３参照）。フレーム部２２は固定部２１より起立した後に左右方向に広がって略矩形型になっている。そしてこの矩形型のフレーム２２には竿体の軸方向に貫通する貫通孔が形成されている。そしてこの貫通孔にセラミックスなどの硬質部材からなるガイドリング２３がはめ込まれている。
【００１５】
この第１釣糸ガイド１０と第２釣糸ガイド２０とは、そのフレーム部１１，２１の高さは凡そ均一である。そして、第１釣糸ガイド１０のガイドリング１３の開口の中竿３の周面からの最大高さと、第２釣糸ガイド２０のガイドリング２３の開口の竿体周面からの最大高さとは同一となっている（図３の△Ａ参照）。一方、円形のガイドリング１３と略矩形のガイドリング２３とを比較するに、第１釣糸ガイド１０のガイドリング１３の開口の中竿３の周面からの最小高さ（図３の△Ｂ）に比べて、第２釣糸ガイド２０のガイドリング２３の開口の中竿３の周面からの最小高さ（図３の△Ｃ）が小さくなる。
【００１６】
穂先竿４は中竿３の穂先側に連結される竿体である。穂先竿４の穂先側端部にはトップガイド８が固定されており、その竿元側の周面には、複数のスライドガイド９が配置されている。このスライドガイド９は各竿体周面を軸方向に滑動自在に配置され、所定の軸方向位置において竿体の外径と合致して固定可能となっている。なお、穂先竿４においては、上述の中竿３及び元上竿２のように２種類の異なるガイドリングを有する釣糸ガイドを用いていない。何故なら、釣糸から最も大きな力が加わるのは、釣竿の軸方向中央付近だからである。
【００１７】
このように構成された釣竿は、リールシート５にスピニングリールを装着して用いる。よって、釣人はリールシート５及び各釣糸ガイドを地面側に向けて釣りを行うことになる。そして、リールからの釣糸Ｌは元竿１の固定ガイド６へと導かれ、順次各竿体の釣糸ガイドを挿通して穂先竿４のトップガイド８へと導かれる。
【００１８】
図２に示すように、釣糸Ｌの先端に仕掛けを連結してキャスティングした場合、リールから釣糸Ｌはスパイラル状に導出されていくが、第１釣糸ガイド１０と第２釣糸ガイド２０とにおいては、リールから螺旋状に放出される釣糸Ｌのスパイラルを円滑に収束させて釣糸Ｌの放出を円滑且つ安定化させる。ここでは、第２釣糸ガイド２０のガイドリング２３は第１釣糸ガイド１０のガイドリング１３に比べて開口の竿体周面からの最小高さが小さく、開口の面積が大きい。このため、釣糸Ｌの導出時には第２釣糸ガイド２０が釣糸Ｌの導出を阻害しにくくなっている。
【００１９】
一方、釣糸Ｌの先端に連結した仕掛けに魚がかかった場合、釣糸Ｌは穂先側乃至地面側方向から大きな力を受けることになり、釣糸Ｌは第１釣糸ガイド１０，第２釣糸ガイド２０のガイドリング１３，２３で最も地面側方向（竿体からその径外方向に最も離れる方向）に位置することになる。ここでは、第１釣糸ガイド１０のガイドリング１３と第２釣糸ガイド２０のガイドリング２３とは共にその開口の最大高さが同一に設定されており、第１釣糸ガイド１０と第２釣糸ガイド２０とが共に釣糸Ｌを支えることになる。そして、釣糸Ｌからの力が第１釣糸ガイド１０及び第２釣糸ガイド２０に分散され、竿体全体に円滑に伝達される（図４参照）。また、この状態では、釣糸Ｌが竿体周面にべたつくことも防止される。
【００２０】
［他の実施形態］
（ａ）第２釣糸ガイド２０の形状は上記実施形態のような矩形状に限定されるものではなく、例えば、図５に示すように楕円型などの形状を採用することも可能である。
（ｂ）上記実施形態では、中竿３と元上竿２とに第１釣糸ガイド１０と第２釣糸ガイド２０とを組み合わせて配置しているが、他の竿体にも同様の２種類の釣糸ガイドを組み合わせて用いてもよい。
【００２１】
【発明の効果】
本発明にかかる釣竿によれば、釣糸の円滑な導出を可能とすると共に、釣糸からの力を良好に竿体に伝達できる。
【図面の簡単な説明】
【図１】本発明の一実施形態を採用した釣竿の全体図。
【図２】図１の中竿３の一部を示した図。
【図３】図２の第１釣糸ガイド１０と第２釣糸ガイド２０との正面図。
【図４】図１の釣竿が撓った状態を示した参考図。
【図５】本発明の他の実施形態を採用した第２釣糸ガイドを示した図。
【符号の説明】
１  元竿
２  元上竿
３  中竿
４  穂先竿
６  固定ガイド
１０  第１釣糸ガイド
２０  第２釣糸ガイド
【図１】
0003885188.tif 000002
【図２】
0003885188.tif 000003
【図３】
0003885188.tif 000004
【図４】
0003885188.tif 000005
【図５】
0003885188.tif 000006